(57)【要約】【課題】  硬い材質のチューブの内容物を絞り出す際に、チューブに強い圧力をかけても破損する虞がなく、内容物を絞り出す作業を行いながらチューブの内容物の残量を知ることができる構成のチューブ絞り具を提供することを課題とする。【解決手段】  基盤部１０には所定長のチューブ７の端部９を挿入する係止スリット１２が形成されている。基盤部１０の両側端にはローラ本体２１の軸部２１ａが挿通している案内スリット１１ａを有する案内部１１が設けられている。ローラ本体２１の軸部２１ａは「コ」の字型の把手部２２の両端部に係合しており、ローラ本体２１は把手部２２によって回動自在に支持されている。基盤部１０の上面部１０ａには、チューブ７の内容物の残量と対応するローラ本体２１の移動位置を示す表示１３がなされている。絞り出された内容物は受け皿３０に収納される。【選択図】  図４
0003171959.tif 000002
【実用新案登録請求の範囲】
【請求項１】
一端部に吐出口を有し他端部が閉止されている所定長のチューブの内容物を絞り出すチューブ絞り具であって、前記所定長のチューブ全体を載置可能な長さを有する板状の基盤部と、該基盤部の上面部に接触した状態でその長手方向に回動しながら移動可能なローラ部とからなり、
前記ローラ部は、その中心線に位置する外側に延在する軸部を有する円柱状のローラ本体と、「コ」の字型の把手部であってその両端部が前記ローラ本体の前記軸部と係合して当該ローラ本体の両端部を回動自在に支持する把手部とから構成され、
前記基盤部の幅方向の両側端には、前記ローラ本体の前記軸部が挿通可能かつ前記基盤部の上面部と平行に前記基盤部の長手方向に延在し挿入された前記軸部の動きを規制する案内スリットが形成されている板状の案内部が配設され、
前記基盤部には、その長手方向の一端側に前記所定長のチューブの前記吐出口を位置させた際、前記所定長のチューブの閉止されている他端部が位置する付近に当該閉止されている他端部が挿入可能な前記基盤部の幅方向に延在する係止スリットが設けられていることを特徴とするチューブ絞り具。
【請求項２】
前記基盤部の上面部には、前記係止スリットに前記閉止されている他端部が挿入されている前記所定長のチューブ上を前記ローラ本体を移動させて当該チューブの内容物を吐出させる際、前記チューブ内の内容物の残量に対応した前記ローラ本体の移動位置を示す表示がなされていることを特徴とする請求項１に記載のチューブ絞り具。
【請求項３】
前記案内部の外側面部には、前記係止スリットに前記閉止されている他端部が挿入されている前記所定長のチューブ上を前記ローラ本体を移動させて当該チューブの内容物を吐出させる際、前記チューブ内の内容物の残量に対応した前記ローラ本体の移動位置を示す表示がなされていることを特徴とする請求項１に記載のチューブ絞り具。
【請求項４】
前記基盤部の上面部は、その長手方向の断面が鋸歯状となるような波状面に形成され、且つ、前記ローラ本体の表面は、前記波状面と歯合するような波状面に形成されていることを特徴とする請求項１に記載のチューブ絞り具。
【請求項５】
前記係止スリットに前記閉止された他端部が挿入されている前記所定長のチューブの前記吐出口が位置する前記基盤部の一端側には、前記吐出口から吐出される前記チューブの内容物を収納する受け皿が配設されていることを特徴とする請求項１ないし請求項４に記載のチューブ絞り具。
【請求項６】
前記受け皿は前記基盤部と着脱自在に係合する係合部を有していることを特徴とする請求項５に記載のチューブ絞り具。
【考案の詳細な説明】
【技術分野】
【０００１】
本考案は、チューブに収納されている内容物をそのチューブから絞り出すチューブ絞り具に関するものである。
【背景技術】
【０００２】
チューブに収納されている内容物を無駄なく使用するための器具として従来からチューブ絞り具が用いられている。
【０００３】
図８は、チューブに収納されている髪染剤を、従来のチューブ絞り具を用いて絞り出す場合の使用例を示した図である。
【０００４】
業務として髪染剤を使用する場合には、その使用目的に合わせて適量の髪染剤を使う必要があるために、通常は計量器Ｍに載せてあるビーカーＢ等の容器内に適量の髪染剤を絞り出してからその髪染剤を使用している。
【０００５】
吐出口８を有するチューブ７内の髪染剤を絞り出す従来のチューブ絞り具Ａはチューブ７を挟む回動自在のローラ２を具えた基体部１と、ローラ２と対向してチューブ７を挟む回動自在のローラ４を具えた「コ」の字型の把手部３とによって構成されている。把手部３は基体部１に軸部材５によって回動自在に軸着されている。把手部３のローラ４の軸部には、ローラ４を回動させるためのハンドル６が連結されている。
【０００６】
チューブ絞り具Ａの使用者は、先ず、軸部材５を中心として把手部３を基体部１から離してローラ２とローラ４との間にチューブ７が挿入可能な空間を作り、この空間にチューブ７を入れた後、把手部３と基体部１とを握ってローラ２とローラ４との間にチューブ７を圧力をかけた状態で挟み込む。この状態で使用者は、ハンドル６を操作して、チューブの内容物である髪染剤を、計量器Ｍの目盛を見ながらビーカーＢ内に適量だけ絞り出し、その後、その絞り出した髪染剤を使用する。
【考案の概要】
【考案が解決しようとする課題】
【０００７】
しかしながら、以上説明した従来のチューブ絞り具には以下のような問題があった。
【０００８】
すなわち、一般に髪染剤を収納しているチューブ７は、その材料として他のチューブに比して丈夫な厚い金属が用いられており、内容物である髪染剤を絞り出すためには、チューブ７に強い圧力をかけなければならない。この際、図８に示した構成の従来のチューブ絞り具においては、「てこ」の原理で軸部材５に強い力が加わってしまうために、この軸部材５の周辺において破損事故が多発してしまうという問題があった。
【０００９】
さらに、内容物である髪染剤を使用するに際しては、使用量を計る計量器ＭやビーカーＢ等の収納容器を準備しなければならないという問題もあった。
【課題を解決するための手段】
【００１０】
以上の問題を解決するために、本考案は、一端部に吐出口を有し他端部が閉止されている所定長のチューブの内容物を絞り出すチューブ絞り具であって、前記所定長のチューブ全体を載置可能な長さを有する板状の基盤部と、該基盤部の上面部に接触した状態でその長手方向に回動しながら移動可能なローラ部とからなり、前記ローラ部は、その中心線に位置する外側に延在する軸部を有する円柱状のローラ本体と、「コ」の字型の把手部であってその両端部が前記ローラ本体の前記軸部と係合して当該ローラ本体の両端部を回動自在に支持する把手部とから構成され、前記基盤部の幅方向の両側端には、前記ローラ本体の前記軸部が挿通可能かつ前記基盤部の上面部と平行に前記基盤部の長手方向に延在し挿入された前記軸部の動きを規制する案内スリットが形成されている板状の案内部が配設され、前記基盤部には、その長手方向の一端側に前記所定長のチューブの前記吐出口を位置させた際、前記所定長のチューブの閉止されている他端部が位置する付近に当該閉止されている他端部が挿入可能な前記基盤部の幅方向に延在する係止スリットが設けられていることを特徴とするものである。
【００１１】
ここで、前記基盤部の上面部には、前記係止スリットに前記閉止されている他端部が挿入されている前記所定長のチューブ上を前記ローラ本体を移動させて当該チューブの内容物を吐出させる際、前記チューブ内の内容物の残量に対応した前記ローラ本体の移動位置を示す表示がなされていてもよい。また、前記案内部の外側面部には、前記係止スリットに前記閉止されている他端部が挿入されている前記所定長のチューブ上を前記ローラ本体を移動させて当該チューブの内容物を吐出させる際、前記チューブ内の内容物の残量に対応した前記ローラ本体の移動位置を示す表示がなされていてもよい。また、前記基盤部の上面部は、その長手方向の断面が鋸歯状となるような波状面に形成され、且つ、前記ローラ本体の表面は、前記波状面と歯合するような波状面に形成されていてもよい。
【００１２】
上記の手段においては、前記係止スリットに前記閉止された他端部が挿入されている前記所定長のチューブの前記吐出口が位置する前記基盤部の一端側には、前記吐出口から吐出される前記チューブの内容物を収納する受け皿が配設されていてもよいし、さらに、前記受け皿は前記基盤部と着脱自在に係合する係合部を有していてもよい。
【考案の効果】
【００１３】
本考案によれば、硬い材質のチューブの内容物を絞り出す際に、チューブに強い圧力をかけても破損する虞がなく、内容物を絞り出す作業を行いながらチューブの内容物の残量を知ることができる構成のチューブ絞り具を提供することができる。
【図面の簡単な説明】
【００１４】
【図１】本考案の実施例１の構成を示す斜視図である。
【図２】本考案の実施例１の構成を示す側面図である。
【図３】本考案の実施例１の構成を示す平面図である。
【図４】本考案の実施例１の使用方法の説明図である。
【図５】本考案の実施例１の使用方法の説明図である。
【図６】本考案の実施例１の構成の説明図である。
【図７】本考案の実施例１の構成の説明図である。
【図８】従来のチューブ絞り具の構成の説明図である。
【考案を実施するための形態】
【００１５】
以下、図面を用いて本考案の実施例を説明する。
【実施例１】
【００１６】
図１は本考案の実施例１の構成を示した斜視図であり、図２は側面図、図３は平面図である。
【００１７】
本実施例１は、予め長さがわかっている所定長を有するチューブの内容物を絞り出すためのチューブ絞り具であり、チューブを載置する板状の基盤部１０と、基盤部１０の上面部１０ａに接触した状態で回動しながら移動するローラ部２０とによって構成されている。
【００１８】
ローラ部２０は、円柱状のローラ本体２１と「コ」の字型の把手部２２とによって構成されている。ローラ本体２１はその中心線に位置する外側に延在する軸部２１ａを具えており、把手部２２の両端部はこの軸部２１ａと係合することによってその間に位置するローラ本体２１を回動自在に支持する。
【００１９】
基盤部１０の幅方向の両側端には、ローラ本体２１の軸部２１ａが挿通可能な案内スリット１１ａが形成されている板状の案内部１１が配設されている。案内スリット１１ａは、基盤部１０の上面部１０ａと平行するように基盤部１０の長手方向に延在しており、この案内スリット１１ａに挿通している軸部２１ａが規制されることによってローラ本体２１は基盤部１０の上面部１０ａ上を回動しながら基盤部１０の長手方向に移動する。
【００２０】
基盤部１０の長手方向の長さは、所定長のチューブ全体が載置可能な長さに選ばれている（図５参照）。また、基盤部１０には、その幅方向に延在する係止スリット１２が形成されている。この係止スリット１２は、所定長のチューブの吐出口とは反対側の閉止されているチューブの端部が挿入可能なスリットであり、その位置は、チューブの吐出口を基盤部１０の長手方向の一端側に位置させたときにチューブの閉止されている端部が位置する付近の位置になるように選ばれている。
【００２１】
基盤部１０の上面部１０ａと案内部１１の外側面部とには、係止スリット１２に閉止されている端部が挿入されて、基盤部１０上に載置されている所定長のチューブ上をローラ本体２１を移動させてチューブの内容物を吐出させる際に、チューブの内容物の残量がわかるように、チューブの内容物の残量に対応したローラ本体２１の位置を示す表示１３がなされている。本実施例１においては、チューブの内容物の残量が１／４減る毎の位置に「線」による表示１３がなされている。なお、この表示形態は「線」に限られるものではなく、例えば、この「線」の前後で基盤部１０の上面部や案内部１１の外側面部の色が変わるような表示形態としてもよい。また、チューブの内容物の残量が１／４減る毎に表示１３を設けることに限定する必要はなく、例えば１／３減る毎に表示を設けることにしてもよい。さらに、本実施例１では基盤部１０の上面部と案内部１１の外側面部の両方に表示１３が設けられているが、この表示１３は、いずれか一方のみに設けるように構成してもよい。
【００２２】
本実施例１においてはチューブの内容物を確実に使い切るために、図２に示したように基盤部１０の上面部１０ａはその長手方向の断面が鋸歯状となるような波状面に形成されており、この波状面と歯合するようにローラ本体２１の表面も波状面に形成してある。
【００２３】
所定長のチューブの吐出口が位置する基盤部１０の先端部には、絞り出されたチューブの内容物を収納するための受け皿３０が配設されている。
【００２４】
以上のように構成された本実施例１を使用する場合は、先ず、図４に示したように所定長のチューブ７の閉止されている端部９を係止スリット１２に挿入してからチューブ７を折り曲げてチューブ７を基盤部１０上に載置する。
【００２５】
以上のような操作、すなわち図５（ａ），（ｂ）に示したような操作をした後、使用者は基盤部１０の上面部１０ａの表示１３を見ながらローラ部２０の把手部２２を用いてローラ本体２１をチューブ７上を圧力をかけながら移動させて（図５（ｃ））、チューブ７の内容物を必要量だけ受け皿３０内に絞り出して（図５（ｄ））、この絞り出した受け皿３０内の必要量の内容物を使用する。
【００２６】
この内容物をチューブ７から絞り出す際に、本実施例１においては先に説明した従来の絞り具とは異なり、「てこ」の原理によって過度な力が加わる部分がないために、硬い材質のチューブ７の内容物を絞り出す場合にも本実施例１が破損するようなことはない。
【００２７】
また、本実施例１には基盤部１０の上面部１０ａにチューブ７の内容物の残量を知ることができる表示１３がなされているために、計量器を用いることなく必要量の内容物を絞り出すことができる。
【００２８】
なお、以上説明した本実施例１においては、基盤部１０と受け皿３０とが一体的な構成となっているが、これは一体的に構成する必要はなく、例えば図６（ａ），（ｂ）に示したように、基盤部１０と受け皿３０とを別体に構成して、ボルトとナットのような接続具４０を用いて接続するように構成してもよいし、さらに、図７（ａ），（ｂ）に示すように、案内部１１の側面に係合凹部１１ｂを形成しておき、これと係合する係合部３１を受け皿３０に配設して、受け皿３０を案内部１１を介して基盤部１０に着脱自在に係合するように構成してもよい。
【符号の説明】
【００２９】
１  基体部
２，４  ローラ
３，２２  把手部
５  軸部材
６  ハンドル
７  チューブ
８  吐出口
９  端部
１０  基盤部
１０ａ  上面部
１１  案内部
１１ａ  案内スリット
１１ｂ  係合凹部
１２  係止スリット
１３  表示
２０  ローラ部
２１  ローラ部本体
２１ａ  軸部
３０  受け皿
３１  係合部
４０  接続具
Ａ  チューブ絞り具
Ｂ  ビーカー
Ｍ  計量器
【図１】
0003171959.tif 000003
【図２】
0003171959.tif 000004
【図３】
0003171959.tif 000005
【図４】
0003171959.tif 000006
【図５】
0003171959.tif 000007
【図６】
0003171959.tif 000008
【図７】
0003171959.tif 000009
【図８】
0003171959.tif 000010